(57)【要約】【課題】  耳の遠い高齢者などが電話機を使用する場合、通常の受話音量よりも大きい受話音量に、ワンタッチで変更することができる音量ブースト機能が知られているが、コードレス電話機では、通話中に突然通話音量がブーストされ、ユーザーが違和感を抱くという課題があった。本発明は、この違和感を軽減する電話機を提供する。【解決手段】親機と子機とが無線接続され、受話音量を調節する第１受話音量調節部を有する電話機であって、親機は第１受話音量調節部よりも、1回の操作あたりの受話音量調節量が大きい第２受話音量調節部と、第２受話音量調節部が調節した受話音量調節情報を子機へ送信する送信部と、を有し、親機から子機へ音声通話情報が送信開始された時から、受話音量設定変更部が受話音量調節情報に基づいて受話音量設定を変更するまで、子機から発音される音声の音量を抑制する受話音量抑制部と、を有することを特徴とする。【選択図】図４
2019080257.tif 000002
【特許請求の範囲】
【請求項１】
親機と子機とが無線接続され、受話音量を調節する第１受話音量調節部を有する電話機であって、
前記親機は、
前記第１受話音量調節部よりも、1回の操作あたりの受話音量調節量が大きい第２受話音量調節部と、
前記第２受話音量調節部が調節した受話音量に関する受話音量調節情報を記憶する記憶部と、
前記記憶部に記憶された前記受話音量調節情報を、前記子機へ送信する送信部と、
を、有し、
前記子機は、
前記送信部から送信された前記受話音量調節情報を受信する受信部と、
前記受信部が受信した前記受話音量調節情報に基づいて、前記子機の受話音量設定を変更する受話音量設定変更部と、
を、有し、
前記親機から前記子機へ音声通話情報が送信開始された時から、前記受話音量設定変更部が前記受話音量調節情報に基づいて前記受話音量設定を変更するまで、前記子機から発音される音声の音量を抑制する受話音量抑制部と、
を、有することを特徴とする電話機。
【請求項２】
前記記憶部は、前記電話機の前回使用時に調節された前記受話音量調節情報を、次回使用時まで記憶することを特徴とする請求項１記載の電話機。
【請求項３】
前記受話音量抑制部は、予め設定された規則に基づき前記受話音量を抑制することを特徴とする請求項１記載の電話機。
【請求項４】
前記予め設定された規則は、前記抑制の開始時よりも前記抑制の解除時の方が、前記子機から発音される音声の音量が大きいことを特徴とする請求項３記載の電話機。
【請求項５】
前記受話音量の抑制の解除は、通信回線閉結から所定の時間経過後に行うことを特徴とする請求項１記載の電話機。
【請求項６】
前記受話音量の抑制の解除は、前記親機もしくは前記子機に通話開始の入力が行われてから所定の時間経過後に行うことを特徴とする請求項１記載の電話機。
【請求項７】
前記受話音量の抑制の解除は、前記受話音量調節情報を送信してから所定の時間経過後に行うことを特徴とする請求項１記載の電話機。
【発明の詳細な説明】
【技術分野】
【０００１】
本発明は、電話機に関する。
【背景技術】
【０００２】
耳の遠い高齢者などが電話機を使用する場合、健常者が使用する通常の受話音量よりも大きい受話音量に、ワンタッチで変更することができると便利である。そのために、予め大きい受話音量に設定したプリセットキーを設け、プリセットキー押下により受話音量を増大する技術が知られている。（特許文献１参照）。この技術を本明細書では「音量ブースト機能」と記す。
【先行技術文献】
【特許文献】
【０００３】
【特許文献１】特開２００６−３４５０２５号公報
【発明の概要】
【発明が解決しようとする課題】
【０００４】
しかしながら、上述の背景技術を、コードレス電話機に搭載した場合、例えば親機の音量ブースト機能の設定がＯＮの状態で、着信に対し受話子機を親機から外して応答すると、回線が閉結され音声通話開始後に音量ブースト機能がＯＮの状態であるという情報が、親機から受話子機に送信されるため、通話中に突然通話音量がブーストされ（即ち増大し）、ユーザーが驚き、または違和感を抱くという課題があった。
【０００５】
本発明は、上記問題点に鑑みてなされたものであり、上述の様に通話中に突然音量がブーストされ、ユーザーに対して違和感を与えることを軽減する電話機を提供するものである。
【課題を解決するための手段】
【０００６】
本発明の電話機は、上記課題を解決するために、親機と子機とが無線接続され、受話音量を調節する第１受話音量調節部を有する電話機であって、前記親機は、前記第１受話音量調節部よりも、1回の操作あたりの受話音量調節量が大きい第２受話音量調節部と、前記第２受話音量調節部が調節した受話音量に関する受話音量調節情報を記憶する記憶部と、  前記記憶部に記憶された前記受話音量調節情報を、前記子機へ送信する送信部と、を、有し、前記子機は、前記送信部から送信された前記受話音量調節情報を受信する受信部と、  前記受信部が受信した前記受話音量調節情報に基づいて、前記子機の受話音量設定を変更する受話音量設定変更部と、を、有し、前記親機から前記子機へ音声通話情報が送信開始された時から、前記受話音量設定変更部が前記受話音量調節情報に基づいて前記受話音量設定を変更するまで、前記子機から発音される音声の音量を抑制する受話音量抑制部と、
を、有することを特徴とする。
【発明の効果】
【０００７】
本発明によれば、コードレスホンに音量ブースト機能を搭載した場合、通話前の音量ブースト機能の設定によって、通話開始後に受話子機における受話音量が変化し、ユーザーに対して不快感を与えることを軽減することができる。
【図面の簡単な説明】
【０００８】
【図１】本発明の実施形態に係る電話機の外観の一例を示す図である。
【図２】本発明の実施形態に係る電話機の構成の一例を示すブロック図である。
【図３】従来の電話機の動作の一例を示すシーケンス図である。
【図４】本発明の実施形態に係る電話機の動作の一例を示すシーケンス図である。
【図５】従来の電話機の動作の一例を示すシーケンス図である。
【図６】本発明の実施形態に係る電話機の動作の一例を示すシーケンス図である。
【図７】本発明の実施形態に係る電話機の動作の一例を示すフローチャートである。
【図８】本発明の実施形態に係る電話機の動作の一例を示す図である。
【発明を実施するための形態】
【０００９】
以下、本発明の電話機に係る実施形態について説明する。なお、以下の実施形態はコードレス電話機に例をとって説明するが、これに限るものではなく、親機と複数の子機を無線通信で接続するいわゆる親子電話にも、同様に適用可能である。また、コードレス電話機の機能を備えたファクシミリなどにも適用可能である。
【００１０】
図１は、本発明の実施形態に係るコードレス電話機１の外観を示す図である。図１に示すようにコードレス電話機１は、親機３と、送受話器２、とを備える。送受話器２は、待機時は親機３のクレイドル８に載置され、送受話時にはクレイドル８から取り外し使用される。親機３と送受話器２は無線で接続される。
【００１１】
受話子機２には、受話口４、送話口７が設けられている。また、例えば現在時刻、通話時間、電話番号等の各種情報を表示可能な表示部５、各種操作ボタンを含む操作部６が設けられていても良く、操作部６には受話音量を調節するボタンが含まれていてもよい。親機３には、例えば現在時刻、通話時間、電話番号等の各種情報を表示可能な表示部９、ダイヤルボタンを含む操作部１０が設けられている。さらに親機３には、受話音量を調節する音量調節ボタン１２と、後述する音量ブースト機能を設定する、音量ブーストボタン１１を備えている。
【００１２】
図２は、本発明の実施形態に係るコードレス電話機１の構成を示すブロック図である。親機３は主制御部２０と、ＲＡＭ(Random Access Memory)２２と、不揮発性メモリ２３と、公衆回線制御部２５と、表示部２６と、操作部２７と、無線部２１と、音量ブーストボタン１１と、音量調節ボタン１２と、を備える。
【００１３】
主制御部２０は、不揮発性メモリ２３に記憶されている制御プログラムに従って、親機３を構成する各部を制御する。不揮発性メモリ２３は、制御プログラム等を記憶している。ＲＡＭ２２は、主制御部２０の主メモリとして機能し、音量調節ボタン１２で調節された受話音量のデータや、後述する音量ブーストボタン１１がＯＮもしくはＯＦＦのいずれの状態であるかの情報等を記憶する。音量ブーストボタン１１は、押下するごとに音量ブースト機能がＯＮとＯＦＦとの状態に切り替わる。公衆回線制御部２５は公衆回線２４と接続され、外部の電話機等と通信を行うことができる。
【００１４】
表示部２６は、液晶表示装置等からなり、例えば現在時刻、通話時間、電話番号等の各種情報を表示可能である。また、ＲＡＭ２２に記憶されている電話帳に関する情報を表示できる。さらに、音量ブーストボタン１１によって切り替える音量ブースト機能の状態が、ＯＮもしくＯＦＦであることを表示することができる。
【００１５】
また図２に示すように、受話子機２は主制御部３０と、ＲＡＭ(Random Access Memory)３４と、不揮発性メモリ３５と、表示部３６と、操作部３７と、無線部３３と、送話口７を構成するマイク３２と、受話口４を構成するスピーカー３１と、を備える。
【００１６】
主制御部３０は、不揮発性メモリ３５に記憶されている制御プログラムに従って、受話子機を構成する各部を制御する。不揮発性メモリ３５は、制御プログラム等を記憶している。ＲＡＭ３４は、主制御部３０の主メモリとして機能する。表示部３６は、例えば現在時刻、通話時間、電話番号等の各種情報を表示可能な表示装置からなる。
【００１７】
親機３と、受話子機２は、無線で接続されているコードレス電話機である。無線による接続は、無線部２１と、無線部３３とを、介して行われる。
【００１８】
図１では、受話子機２には、音量ブーストボタン１１は備えられていない。これは受話子機２の外観をできるだけシンプルにしたいというデザイン上の要請と、ボタンを省略することによってコストダウンを図る目的のためである。以下の実施例では、受話子機２に音量ブーストボタン１１が無い場合について説明するが、後述の変形例１では、受話子機２にも音量ブーストボタンを配置した場合も説明する。
【００１９】
コードレス電話機１の受話音量は、例えば１から５の５段階を備えていて、この場合１が最少、５が最大の受話音量である。音量調節ボタン１２を1回操作することにより、受話音量の段階が1段階ずつ増減する。これに対し音量ブースト機能は、耳の遠い高齢者等のために、ワンタッチで受話音量を増大させる機能である。音量ブーストボタン１１を押下すると、例えば受話音量が３段階増加する。通常の音量を２の段階とすると、音量ブーストボタン１１を押下することにより、例えば３段階増加して、受話音量が５の段階に増加する。音量ブーストボタン１１を再度押下すると、３段階減少して受話音量は２の段階になる。なお、音量を離散的に変化させるとして以下の実施例を説明するが、音量を連続的に変化させるコードレス電話機にも本発明を適用することは可能である。
【００２０】
また、音量調節ボタン１２により、受話音量を５に設定した状態で、音量ブーストボタン１１を押下すると、受話音量は同様に例えば３段階増加して、８の段階となる。受話音量の段階は通常用いられる１から５の段階の他に、音量ブーストしたときのために、普段は用いない８の段階まで備えている。
【００２１】
図３を参照し、従来のコードレス電話機１の動作を説明する。図３はシーケンス図で、図の上から下へ向かって進行し、親機３と受話子機２との間の無線通信を示す。左側が親機３、右側が親機３と無線接続される受話子機２である。親機３と、受話子機２との無線接続は、ＤＥＣＴ（Digital Enhanced Cordless Telecommunications）規格に準拠して行われる。ＤＥＣＴ規格は、デジタルコードレス電話機で良く用いられる通信規格である。以下、ＤＥＣＴ規格に準拠するコードレス電話機として説明するが、ＤＥＣＴに準拠しないコードレス電話機でも本発明を適用することは可能である。
【００２２】
まず、コードレス電話機１に対して、外部から着信があった場合について説明する。着信音は、親機３のスピーカー（図示せず）から発せられ、ユーザーは受話子機２を取り上げる（オフフック）、もしくは親機３の通話ボタン（操作部１０に含まれる）を押下した後、受話子機２を取り上げる。この状態が図３の「通話開始操作」に当たる。なお、受話子機２を親機２のクレイドル８に載置した状態で応答し、通話に受話子機を使用しないハンズフリー通話の場合は、無線通信を使用しないので、本発明の課題は発生しない。
【００２３】
受話子機２をオフフックすることによる通話開始操作によって、受話子機２から親機３に対して、無線で通話開始要求のコマンドが送信される（通話開始を要求）。通話開始要求のコマンドを受信した親機３は、主制御部２０が公衆回線制御部２５を制御して、公衆回線２４に接続（回線を閉結）する。回線閉結完了したという情報は、親機３から受話子機２へ送信（応答ＯＫ）される。これによって、親機３と受話子機２との無線リンクは確立し（無線リンク確立完了）、受話子機２によって外部回線との通話が可能となる（図３の通話中）。
【００２４】
前回コードレス電話機１を使用した時の受話音量データは、受話子機２のＲＡＭ３４に記憶されていて、通話開始時の受話音量はこのデータに基づき決定される。ただし、この受話音量データは親機３の音量調節ボタン１２、もしくは受話子機２の音量調節ボタン（図１の操作部６に含まれる）で調節された受話音量であり、音量ブースト機能のＯＮまたはＯＦＦによる受話音量増減の情報は含まれない。これは、受話子機２は音量調節ボタンを有しているため、音量調整の情報をＲＡＭ３４に記憶することができるが、音量ブーストボタン１１は、本実施形態では親機３にしか配置されていないので、受話子機２には音量ブーストボタンのＯＮまたはＯＦＦの情報は保存されないためである。
【００２５】
受話子機２で通話開始操作が行われると、上述の工程と並行して、受話子機２ではキー押下抑止が開始される（キー押下抑止開始）。キー押下抑止は、親機２と受話子機３の設定状態を同じにするために行われる。キー押下抑止を行わないと、例えば通話開始操作から無線リンク確立するまでに、受話子機２で保留ボタン（操作部３７に含まれる）が押下されると、親機３は通話状態であるにもかかわらず受話子機２は保留状態となってしまう。このような状態ズレを防止するために、通話開始操作から一定時間、例えば１秒間、受話子機２の各種キー操作を無効にするキー押下抑止状態にする。キー押下抑止状態の期間中は、受話子機２に対して行われる操作は無効となる。また親機３から受話子機２への通信は、無線リンク確立と音声通話を除き、無効となる。なお、このキー押下抑止は、受話子機２もしくは親機３のいずれかで行えば状態ズレは発生しないので、同様の期間に、親機３でキー押下抑止を行っても良い。
【００２６】
前回のコードレス電話機１の使用時に、例えば耳の遠い高齢者が使用して、親機３の音量ブーストボタン１１が押下され、そのまま音量ブースト機能が解除されずに通話が終了した場合を考える。音量ブースト機能ＯＮの情報は親機３のＲＡＭ２２に記憶されるが、受話子機２には記憶されない（受話子機２に音量ブースト機能ＯＮの情報が記憶されている実施例については後述する）。そのため、通話が開始（図３の通話中）された直後は、音量ブースト機能ＯＮ情報は受話子機２には伝達されておらず、受話子機２に記憶されている前回通話時の受話音量の情報で、受話音量が決定される。この前回通話時の受話音量は親機３の音量調節ボタン１２、または受話子機２の音量調節ボタンで調節された音量であり、音量ブースト機能による音量増大の情報は含んでいない。
【００２７】
無線リンクが確立し、通話状態になるまでは、前述したように状態ズレを防止するために、キー押下抑止の状態にある。キー押下抑止中に親機３から受話子機２へ音量ブースト機能ＯＮのコマンドを送信しても無視されるので、キー押下抑止期間終了後に、音量ブーストコマンド通知する必要がある。キー押下抑止期間は、予め例えば１秒に設定されているので、キー押下抑止期間終了するタイミングに合わせて、音量ブーストコマンド通知が行われる（図３の音量ブーストコマンド通知）。音量ブーストコマンドは、親機３のＲＡＭ２２に記憶されている音量ブースト機能がＯＮまたはＯＦＦの情報を含んでいる。音量ブーストコマンド通知が行われると、受話子機２は受話音量を、音量ブースト機能ＯＮ相当に設定する。
【００２８】
しかし、通話は既に開始されているため、ユーザーにとっては通話中に突然受話音量がブーストされ驚くことがあった。着信して通話開始操作を行った後は、できるだけ早く相手の音声が聞こえるようになることが好ましいため、ＤＥＣＴ規格では無線リンクの確立と音声通話の開始が優先されている。そのため、無線リンクの確立と音声通話は、キー押下抑止の対象外となっている。音量ブーストコマンド等の通信は、無線リンク確立のシーケンスには含まれていないので、このような課題が生じる。なおＤＥＣＴ規格に準拠していない無線通信規格でも、同様な課題は生じ得る。なお、通話中または通話直前にユーザーが音量ブースト機能をＯＮまたはＯＦＦの操作を行った場合は、意図通りの受話音量の変化であるため、ユーザーが驚くことは少ない。本発明の目的は、ユーザーが意図していない受話音量の変化に伴う不快感を抑制することにある。
【００２９】
次に図４を参照して、本発明のコードレス電話機１に係る実施例を説明する。図３との相違点は、親機３で受話音量のミュートを行う点である。従来技術と同様に、コードレス電話機１に着信し、受話子機２を取り上げ、親機３に対して通信開始を要求し、親機３は回線を閉結し、応答ＯＫの通知を受話子機２に行い無線リンクを確立する。ここで、親機３は回線閉結と同時に、受話子機２における受話音量のミュートを開始する（受話音量ミュート開始）。ミュートは親機３から受話子機２へ音声通話情報の送信を抑制することによって行われる。
【００３０】
受話音量のミュートは、受話子機２でキー押下抑止が解除され、音量ブーストコマンドが通知されるまで行われる。受話音量のミュートが解除されると、音声通話が可能となる。その際の受話音量は、親機２から音量ブースト機能ＯＮの情報が通知された場合は、音量ブーストされた音量となる。親機３に記憶されている音量ブースト機能の情報がＯＦＦの場合は、代わりに音量ブーストＯＦＦのコマンドが通知され、通常の受話音量となる。なお、音量ブーストＯＦＦコマンドの代わりに、音量ブーストＯＮのコマンドが所定時間以上通知されなかった場合は、音量ブーストＯＦＦとする、としても良い。これにより、通話中にユーザーが意図していない音量ブースト状態になり、突然受話音量が増大することを防止できる。
【００３１】
上述の受話音量ミュート期間の終了（受話音量ミュート解除）は、音量ブーストコマンドが通知された後に行う。キー押下抑止期間は予め定めているので、キー押下抑止期間終了後、音量ブーストコマンドの通知を行うために必要な時間後にミュートを解除するとよい。音量ブーストコマンドの通知に必要な時間は、無線通信状況にもよるが、通常０．１秒以下である。
【００３２】
ミュート期間は回線閉結から開始すると説明したが、これに限るものではなく、音声通話の開始時点でミュートされていれば本発明の効果は得られる。例えば、受話子機２から通話開始要求を受け付けたタイミングからミュートしても良く、また無線リンクが確立したタイミングからミュートをかけても良い。またミュートは受話子機２で行っても良い。この場合は、通話開始操作、キー押下抑止開始、無線リンク確立完了などのタイミングからミュート開始タイミングを決定するとよい。
【００３３】
また、上述の実施形態ではミュートは親機３で行うとして記載したが、受話子機２で行っても良い。後述の実施形態でも同様である。
【００３４】
ミュート期間中の受話音量の抑制は、完全に無音の状態としても良く、また通常の音量よりも小さい音としても良い。通常の音量よりも小さい音とする場合、所定の音量の段階になるように抑制しても良く、また受話音量に対して所定の割合を掛け合わせて抑制しても良い。音量受話音量が小さければ、通話中に音量ブーストコマンドが通知されて、突然受話音量が増大しても、音量差が小さいため、ユーザーが驚くことを防止できる。また受話音量の抑制は、後述する変形例２ように抑制の度合いを変化させても良い。
【００３５】
上記の実施例は、着信に対して応答する場合を示したが、コードレス電話機１から発信する場合でも本発明は有効である。ユーザーが受話子機２をオフフックして耳に当てると、ダイヤルトーンが聞こえる。さらに親機３の操作部２７でダイヤル操作を行うと、ダイヤルのプッシュ音が聞こえる。従来技術ではこの操作の途中でキー押下抑止が解除されると、前回使用時が音量ブースト機能ＯＮの場合、音量ブーストコマンドが通知され、突然ダイヤルトーンやダイヤルのプッシュ音が大きくなり、ユーザーが驚くことがある。本発明はこのような発信時においても、音量ブースト機能がＯＮになるまで受話音量が抑制されるために、ユーザーが驚くことを防止できる。
【００３６】
上述の実施例では、キー抑止期間に音量ブーストコマンド通知ができない場合を説明したが、音量ブーストコマンド通知をキー押下抑止期間に行うことができる場合でも、本発明を適用することが可能である。ＤＥＣＴ規格では、一律にキー押下抑止を行うのではなく、特定のコマンドをキー押下抑止期間でも通知できるように設定することができる。音量ブーストコマンドをキー押下抑止の対象外とした場合の従来例が、図５である。
【００３７】
無線リンクの確立と通話開始が行われた後、音量ブーストコマンド通知が行われる。キー押下抑止期間中であるが、音量ブーストコマンド通知は有効に行われ、受話子機２は受話音量を音量ブースト機能ＯＮ相当に設定する。この場合、通話開始直後の通常の受話音量に対して、音量ブーストコマンドが通知され受話音量が音量ブーストＯＮ相当の受話音量に増加するが、通話開始と受話音量がブーストされるまでの時間が短いために、ユーザーは通話の途中で受話音量が変化したとは感じ難く、大きな違和感とはならないことが多い。
【００３８】
しかし、周囲の無線環境の影響で、親機３と受話子機２との間の無線通信状態が悪化した場合、図５の点線の矢印様に、音量ブーストコマンドの通知が遅れ、受話音量が音量ブースト機能ＯＮ相当に設定されるタイミングが遅れることがある（図５の点線の矢印：無線状態悪化時）。この場合、通話音声（図５の通話中の太い実線の矢印）の通信はあまり遅れず、これに対して音量ブーストコマンド通知が遅れることが多い。これは、通話音声は無線状態が悪化しても、データ補完によって違和感の少ない音声にすることが可能なのに対し、音量ブーストコマンドのようなデータ通信は無線状態悪化によってデータ欠損が発生した場合、データ補完ではなく再送が必要となるためである。図５では、通話中の矢印は無線状態が悪化しても遅れを無視できるとして示している。すると、音声通話開始してから音量ブーストされるまでの時間が延びるために、ユーザーは通話中に突然受話音量が増大したと感じやすく、違和感を受ける場合が生じる。
【００３９】
図６は音量ブーストコマンドがキー押下抑止の対象外の場合の、本発明の実施例である。回線閉結から親機３で受話音量ミュートを開始する。受話音量ミュートは音量ブーストコマンドと通知するまで行われる。親機３は音量ブーストコマンド通知を行ったタイミングを知ることができるので、音量ブーストコマンド通知後にミュートを解除することができる。これによって、無線状態が悪化した状態でも、音量ブースト機能ＯＮ相当に設定されるまで受話音量をミュートすることができ、受話音量が急に増加することによるユーザーの違和感を防止することができる。
【００４０】
図７は、図６で説明した本発明の実施例を示すフローチャートである。通話開始操作（Ｓ１）後のキー押下抑止開始（Ｓ２）によって開始されたキー押下抑止期間は、予め定められた時間が経過するまで継続し、キー押下抑止解除（Ｓ１０）で解除される。また通話開始を要求（Ｓ３）から受話音量ミュート解除（Ｓ９）の流れは、キー押下抑制期間とは無関係に進み、通話中（Ｓ７）となった後に、音量ブーストコマンドが通知されたかを判断し（Ｓ８）、音量ブーストコマンドが通知された後に受話音量ミュートが解除される（Ｓ９）。これにより、親機３と受話子機２との間の無線通信状態によって、音量ブーストコマンドの通知タイミングが変化しても、音量ブーストコマンド通知後に受話音量ミュートを解除できるので、受話音量の急激な変化による違和感をユーザーに与えることを防止できる。
【００４１】
また、図６及び図７で説明した、音量ブーストコマンドの通知を検出して、受話音量ミュートを解除する方法は、図４のシーケンス図にも適用可能である。図４で、音量ブーストコマンド通知を検出した後に受話音量ミュート解除を行えば、周囲無線環境により無線通信状態が変化しても、音量ブーストコマンド通知から最短の時間で受話音量ミュートを解除することができる。
【００４２】
また、前回の通話時に通常音量で通話を行い、通話終了時に次に使うことが予想される耳の遠い高齢者に配慮して親機３の音量ブーストボタン１１を押下しておく場合でも、本発明は適用可能である。音声通話が開始された時は、受話子機２には音量ブースト機能ＯＮ情報は無いので、通常音量（受話子機２に記憶されている受話音量）で音声通話が開始される。音量ブーストコマンド通知が行われると受話音量が急激に大きくなり、ユーザーに違和感を与えてしまう。本発明を適用することによって、音量ブーストコマンドがキー押下抑止の対象である場合（図４）でも、対象でない場合（図６）でも、ユーザーの違和感を防止することが可能となる。
【００４３】
（変形例１）
上述の実施例では、音量ブーストボタン１１は親機３にあり、音量ブースト機能ＯＮもしくはＯＦＦの情報は親機３のＲＡＭ２２に記憶されているとして説明したが、受話子機２にも同様に音量ブーストボタンを配置し、受話子機２のＲＡＭ３４にも音量ブースト機能ＯＮもしくはＯＦＦの情報を記憶するようにしても良い。
【００４４】
この構成としても、シーケンス図は、図４や図６と同じである。以下図４の場合を例にとって説明するが、図６の場合も同様である。前回の通話使用時に、音量ブースト機能を用いていた場合、受話子機２のＲＡＭ３４と、親機３のＲＡＭ２２に、それぞれ音量ブースト機能ＯＮの情報が記憶される。今回の通話で、通話開始操作を行い、回線が併結され、無線リンクが確立され、音声通話が開始されると、最初に受話子機２の音量ブースト機能ＯＮの情報に基づき、受話音量はブーストされた設定となる。その後、音量ブーストコマンドが親機３から受話子機２へ通知される。この場合、受話子機２と親機３とが記憶している音量ブースト機能の情報がいずれもＯＮのため、受話音量は変化せず、ユーザーに違和感は生じない。
【００４５】
しかし、前回通話時に音量ブースト機能ＯＮで通話を行い、通話終了後に親機３の音量ブーストボタン１１を押下して、音量ブースト機能をＯＦＦにする操作を行うと、親機３と受話子機２に記憶されている音量ブースト機能の情報が異なってしまう。この場合、次回の音声通話開始直後は、受話子機２が記憶している音量ブースト機能ＯＮの情報に基づき、受話音量がブーストされた状態となる。その後、キー押下抑止が解除され、親機３に記憶されている音量ブースト機能ＯＦＦの情報が受話子機２に通知されると、音量ブースト機能が解除される。これは、受話子機２と親機３の音量ブースト機能のＯＮ、ＯＦＦ情報が異なる場合、親機３の情報が優先されるためである。その結果、通話中に急に受話音量が低下し、ユーザーに違和感を与えることになる。
【００４６】
本発明では、音量ブースト情報が受話子機２のＲＡＭ３４に記憶されていても、親機３から音量ブーストコマンドの通知が行われ、受話音量が音量ブーストＯＦＦの情報が受話子機２の受話音量に反映されるまでミュートされるため、ユーザーに違和感を与えることを防止できる。図６の場合の様に、音量ブーストコマンド通知がキー押下抑止の対象外の場合も同様である。
【００４７】
また、前回の通話時に通常音量で通話を行い、通話終了時に次に使うことが予想される耳の遠い高齢者に配慮して親機３の音量ブーストボタン１１を押下しておいた場合でも、本発明は適用可能である。
【００４８】
（変形例２）
本発明は、音量ブーストコマンドの通知により受話音量が急激に変化することを防止するために、受話子機２に、音量ブーストコマンドが通知されて、受話音量設定が反映される後までミュートをかけるものである。ミュートは完全に無音にしても良いし、受話音量を小さくしても良い。また、受話音量を小さい状態から徐々に上げることにより、ユーザーの違和感を低減し、さらに通話開始直後の通話音声も聞こえるようにすることもできる。
【００４９】
図８は、通話開始以降の受話音量の変化をグラフにしたものである。受話音量は５段階とし、無音状態をゼロ、最少音量を＋１、最大音量を＋５とし、前回の通話で用いられた受話音量を＋２としている。（ａ）は従来技術に関するものである。通話開始直後は受話子機２に記憶されている前回通話時の受話音量＋２となり、音量ブーストコマンドが通知されて、音量ブースト機能がＯＮになった時点で、受話音量が＋２から＋５へ、急激に増加している。
【００５０】
（ｂ）は、本発明を適用した場合である。音量ブーストコマンドが受話子機２に通知されて、受話音量が音量ブースト機能ＯＮ相当（前回の通話で受話音量＋２とし、音量ブースト機能ＯＮで＋３上乗せされて、受話音量＋５となる）の設定になった時点では、ミュートされて無音の状態である。この後、ミュートがＯＦＦとなり、受話音量は音量ブースト機能ＯＮ相当となるが、通話中の急激な受話音量変化がないので、ユーザーの違和感は生じ難い。
【００５１】
（ｃ）は、変形例２の場合の受話音量を示すグラフである。受話音量の変化を、従来技術の（ａ）に対して、所定の変化の割合を掛け合わせたものである。（ｃ）では、通話開始時をゼロ％、ミュートＯＦＦ時を１００％となるような割合（図８（ｃ）の点線）を、従来技術の（ａ）のグラフに掛けあわせたもので、通話開始直後から小さい音で通話音声を聞くことができ、また音量ブースト機能ＯＮ時の急激な受話音量の増加も抑えることができる。なお、所定の変化の割合を示す点線は直線である必要はなく、適宜調整可能である。さらに、通話開始時点の受話音量をゼロよりも大きい音量から始めても良い。
【００５２】
本発明は、上述した実施形態に限られるものではなく、特許請求の範囲及び明細書全体から読み取れる発明の要旨或いは思想に反しない範囲で適宜変更可能であり、そのような変更を伴う電話機もまた本発明の技術的範囲に含まれる。
【産業上の利用可能性】
【００５３】
本発明は、電話機に好適に採用され得る。
【符号の説明】
【００５４】
１…コードレス電話機、２…受話子機、３…親機、４…受話口、５…表示部、６…操作部、７…送話口、８…クレイドル、９…表示部、１０…操作部、１１…音量ブーストボタン、１２…音量調節ボタン、２０…主制御部、２１…無線部、２２…ＲＡＭ、２３…不揮発性メモリ、２４…公衆回線、２５…公衆回線制御部、２６…表示部、２７…操作部、３０…主制御部、３１…スピーカー、３２…マイク、３３…無線部、３４…ＲＡＭ、３５…不揮発性メモリ、３６…表示部、３７…操作部、
【図１】
2019080257.tif 000003
【図２】
2019080257.tif 000004
【図３】
2019080257.tif 000005
【図４】
2019080257.tif 000006
【図５】
2019080257.tif 000007
【図６】
2019080257.tif 000008
【図７】
2019080257.tif 000009
【図８】
2019080257.tif 000010